(57)【要約】【課題】  バックアップ処理時間を短縮可能なバックアップシステムを提供する。【解決手段】  ＮＡＳ仮想化手段１５はＬＡＮ通信手段１１にてＮＡＳ装置３との間でＬＡＮ１００を通して通信を行い、ＮＡＳクライアントＰＣ５に１台のＮＡＳ装置としてデータ格納手段１４，３４のサービスを提供し、ＮＡＳクライアントＰＣ５からのデータをＮＡＳ装置１，３で受取る。バックアップ指示手段１６はバックアップ開始の指示をＮＡＳ装置１，３に出力し、ＮＡＳ仮想化情報保存手段１７は仮想化情報を保存する。ＮＡＳ装置１，３の静止点確保手段１３，３３各々は並列処理でバックアップするための静止点を確保し、ＦＣ通信手段１２を使ってテープ装置２のデータ格納手段２２へのバックアップと、ＦＣ通信手段３２を使ってテープ装置４のデータ格納手段４２へのバックアップとを行う。【選択図】      図１
2007018112.tif 000002
【特許請求の範囲】
【請求項１】
ネットワークに直接接続して専用ファイルサーバとして動作するＮＡＳ（Ｎｅｔｗｏｒｋ  Ａｔｔａｃｈｅｄ  Ｓｔｏｒａｇｅ）装置１台に対して１台のテープ装置を接続した構成をとり、前記ＮＡＳ装置のデータを対応するテープ装置に保存して当該ＮＡＳ装置のバックアップをとるバックアップシステムであって、
複数台のＮＡＳ装置を１台に見せる仮想化ＮＡＳ装置を構築し、
前記複数台のＮＡＳ装置各々は、前記ＮＡＳ装置のバックアップ時の情報の整合性を保つために特定時刻でのデータ状況の保存を行う静止点確保手段を有することを特徴とするバックアップシステム。
【請求項２】
前記複数台のＮＡＳ装置のいずれかに、他のＮＡＳ装置とともに前記ネットワークに接続することでＮＡＳ機能の連携を行って１台のＮＡＳ装置として見せるＮＡＳ仮想化手段と、前記複数台のＮＡＳ装置及びそれらに対応するテープ装置に対してある時点での当該ＮＡＳ装置に格納されたデータを当該テープ装置に格納する処理を開始する指示を行うバックアップ指示手段と、前記ＮＡＳ仮想化手段によって仮想化されたＮＡＳ装置のある時点での設定情報及び状況を前記対応するテープ装置に保存するＮＡＳ仮想化情報保存手段とを含むことを特徴とする請求項１記載のバックアップシステム。
【請求項３】
前記バックアップ指示手段は、前記開始の指示の中で前記静止点確保手段への前記データ状況の保存の指示を行うことを特徴とする請求項２記載のバックアップシステム。
【請求項４】
ネットワークに直接接続して専用ファイルサーバとして動作し、かつ対応するテープ装置に接続するとともに、自装置のデータを当該テープ装置に保存することで自装置のバックアップが可能なＮＡＳ（Ｎｅｔｗｏｒｋ  Ａｔｔａｃｈｅｄ  Ｓｔｏｒａｇｅ）装置であって、
自装置及び他のＮＡＳ装置とともに複数台を１台に見せる仮想化ＮＡＳ装置を構築し、
自装置及び前記他のＮＡＳ装置のバックアップ時の情報の整合性を保つために特定時刻でのデータ状況の保存を行う静止点確保手段を有することを特徴とするＮＡＳ装置。
【請求項５】
前記他のＮＡＳ装置とともに前記ネットワークに接続することでＮＡＳ機能の連携を行って１台のＮＡＳ装置として見せるＮＡＳ仮想化手段と、前記複数台のＮＡＳ装置及びそれらに対応するテープ装置に対してある時点での当該ＮＡＳ装置に格納されたデータを当該テープ装置に格納する処理を開始する指示を行うバックアップ指示手段と、前記ＮＡＳ仮想化手段によって仮想化されたＮＡＳ装置のある時点での設定情報及び状況を前記対応するテープ装置に保存するＮＡＳ仮想化情報保存手段とを含むことを特徴とする請求項４記載のＮＡＳ装置。
【請求項６】
前記バックアップ指示手段は、前記開始の指示の中で前記静止点確保手段への前記データ状況の保存の指示を行うことを特徴とする請求項５記載のＮＡＳ装置。
【請求項７】
ネットワークに直接接続して専用ファイルサーバとして動作するＮＡＳ（Ｎｅｔｗｏｒｋ  Ａｔｔａｃｈｅｄ  Ｓｔｏｒａｇｅ）装置１台に対して１台のテープ装置を接続した構成をとり、前記ＮＡＳ装置のデータを対応するテープ装置に保存して当該ＮＡＳ装置のバックアップをとるシステムに用いるバックアップ方法であって、
複数台のＮＡＳ装置を１台に見せる仮想化ＮＡＳ装置を構築し、
前記複数台のＮＡＳ装置各々が、前記ＮＡＳ装置のバックアップ時の情報の整合性を保つために特定時刻でのデータ状況の保存を行う静止点確保処理を実行することを特徴とするバックアップ方法。
【請求項８】
前記複数台のＮＡＳ装置のいずれかが、他のＮＡＳ装置とともに前記ネットワークに接続することでＮＡＳ機能の連携を行って１台のＮＡＳ装置として見せる仮想化処理と、前記複数台のＮＡＳ装置及びそれらに対応するテープ装置に対してある時点での当該ＮＡＳ装置に格納されたデータを当該テープ装置に格納する処理を開始する指示を行うバックアップ指示処理と、前記仮想化処理によって仮想化されたＮＡＳ装置のある時点での設定情報及び状況を前記対応するテープ装置に保存する仮想化情報保存処理とを実行することを特徴とする請求項７記載のバックアップ方法。
【請求項９】
前記バックアップ指示処理は、前記開始の指示の中で前記静止点確保処理への前記データ状況の保存の指示を行うことを特徴とする請求項８記載のバックアップ方法。
【発明の詳細な説明】
【技術分野】
【０００１】
本発明はバックアップシステム、ＮＡＳ装置及びそれに用いるバックアップ方法に関し、特にＮＡＳ（Ｎｅｔｗｏｒｋ  Ａｔｔａｃｈｅｄ  Ｓｔｏｒａｇｅ）のバックアップ方法に関する。
【背景技術】
【０００２】
ＮＡＳはネットワークに直接接続するストレージの総称であり、通常、専用ファイルサーバを指している。このＮＡＳは既存のネットワーク［例えば、ＬＡＮ（Ｌｏｃａｌ  Ａｒｅａ  Ｎｅｔｗｏｒｋ）等］に接続して統合管理することで、異なるＯＳ（Ｏｐｅｒａｔｉｎｇ  Ｓｙｓｔｅｍ）を搭載するサーバ間でのファイル共有を可能としている。
【０００３】
上記のＮＡＳのバックアップを取得する方法として、ＮＡＳのバックアップを当該ＮＡＳ配下のバックアップ装置にとるローカルバックアップと、ＮＡＳのバックアップをネットワーク経由でバックアップ装置にとるリモートバックアップとがある（例えば、特許文献１参照）。
【０００４】
ローカルバックアップには、オペレータによる手動のバックアップ操作でＮＡのバックアップをＮＡＳ配下のバックアップ装置にとるオペレータローカルバックアップ方式と、データ転送等について定義したバックアップ用プロトコルであるＮＤＭＰ（Ｎｅｔｗｏｒｋ  Ｄａｔａ  Ｍａｎａｇｅｍｅｎｔ  Ｐｒｏｔｏｃｏｌ）を用いてＮＡＳのバックアップをＮＡＳ配下のバックアップ装置にとるＮＤＭＰローカルバックアップ方式とがある。
【０００５】
オペレータローカルバックアップ方式はオペレータがバックアップ対象のＮＡＳに対してバックアップ用コマンドを実行し、当該ＮＡＳ配下のバックアップ装置にバックアップをとる方式である。ＮＤＭＰローカルバックアップ方式はネットワーク上のバックアップ対象のＮＡＳのバックアップスケジュール及びデータ転送の管理等を行うバックアップ管理ソフトウェアを置いたバックアップ管理装置からバックアップ対象のＮＡＳに対してＮＤＭＰプロトコルを用いてバックアップ要求を行い、これを受けた当該ＮＡＳが配下のバックアップ装置にデータを送信することでバックアップをとる方式である。
【０００６】
リモートバックアップにはＮＤＭＰプロトコルを用いたバックアップ管理装置の指示によってＮＡＳのバックアップをネットワーク経由で特定のＮＡＳ配下のバックアップ装置にとるＮＤＭＰリモートバックアップ方式と、ＵＮＩＸ（登録商標）向けリモートファイル装置アクセス用プロトコルであるＮＦＳ（Ｎｅｔｗｏｒｋ  Ｆｉｌｅ  Ｓｙｓｔｅｍ）、Ｗｉｎｄｏｗｓ（登録商標）向けリモートファイル装置アクセス用プロトコルであるＣＩＦＳ（Ｃｏｍｍｏｎ  Ｉｎｔｅｒｎｅｔ  Ｆｉｌｅ  Ｓｙｓｔｅｍ）等を用いてバックアップ対象ＮＡＳのデータをＰＣ（Ｐｅｒｓｏｎａｌ  Ｃｏｍｐｕｔｅｒ）、ＷＳ（Ｗｏｒｋ  Ｓｔａｔｉｏｎ）等が取得し、そのデータをネットワーク経由でバックアップ装置にとるＮＦＳ／ＣＩＦＳリモートバックアップ方式とがある。
【０００７】
ＮＤＭＰリモートバックアップはバックアップ管理装置からバックアップ対象ＮＡＳに対してＮＤＭＰプロトコルを用いてバックアップ要求を行い、これを受けた当該ＮＡＳがバックアップ装置を配下に持つバックアップ取得ＮＡＳにデータを送信し、バックアップ取得ＮＡＳがデータを受信して配下のバックアップ装置にデータを格納することでバックアップをとる方式である。
【０００８】
例えば、バックアップ対象ＮＡＳのＮＡＳ＃１と、バックアップ取得ＮＡＳのＮＡＳ＃２とがバックアップ取得装置管理下にある場合、ＮＡＳ＃１のバックアップをＮＡＳ＃２配下のバックアップ装置に取得するには、バックアップ管理装置がＮＤＭＰプロトコルのバックアップ要求を行い、ＮＡＳ＃１が受けてデータをＮＡＳ＃２に送信する。ＮＡＳ＃２は上記のデータを受信して配下のバックアップ装置にデータを格納する。
【０００９】
ＮＦＳ／ＣＩＦＳリモートバックアップはＮＡＳのバックアップデータを取得し、そのデータを対象のバックアップ装置に格納する機能を要するバックアップクライアントソフトウェアを置いたホスト（ＰＣ、ＷＳ等）に対してバックアップ管理装置がバックアップ要求を行うことで当該ホストがバックアップ対象ＮＡＳのデータ及びＮＡＳのデータに関する情報を記述したメタデータを各々の環境に応じたＮＦＳ、ＣＩＦＳ等のプロトコルで取得し、そのデータをネットワーク経由でバックアップ装置に送信することでバックアップをとる方式である。
【００１０】
上述したように、ＮＡＳにおけるバックアップは、欠かせない要素の一つである。現在のバックアップ手段としてはテープ装置が主流であり、主にテープ装置をＮＡＳに直結するバックアップが提供されている。しかし、データ容量は増加の一途を辿っており、１台のテープ装置が処理する速度では運用用件を満たせなくなっている。よって、現在の方法より高速なバックアップ方法が必要になってきている。
【００１１】
図５に示すように、上述した従来のバックアップシステムは、１台のＮＡＳ装置（制御部と記憶部とを含む）８と、１台のテープ装置（制御部と記憶部を含む）９とから構成され、ＮＡＳ装置８はＬＡＮ２００を通してＮＡＳクライアントＰＣ１０に接続されている。このような構成を有する従来のバックアップシステムは次のように動作する。すなわち、あるタイミングでＮＡＳ装置上のデータの静止点を確保し、そのデータをＦＣケーブル等で直結したテープ装置にコピーすることで、ＮＡＳ装置上のデータのテープへのバックアップを行っている。
【００１２】
【特許文献１】特開２００３−２９６１６９号公報
【発明の開示】
【発明が解決しようとする課題】
【００１３】
上述した従来のバックアップシステムでは、ＮＡＳ装置１台に対して１台のテープ装置を接続した構成の場合、扱うデータ量とバックアップ時間とが比例し、データ量の増加でデータバックアップ時間も増加してしまうという問題がある。
【００１４】
そこで、本発明の目的は上記の問題点を解消し、バックアップ処理時間を短縮することができるバックアップシステム、ＮＡＳ装置及びそれに用いるバックアップ方法を提供することにある。
【課題を解決するための手段】
【００１５】
本発明によるバックアップシステムは、ネットワークに直接接続して専用ファイルサーバとして動作するＮＡＳ（Ｎｅｔｗｏｒｋ  Ａｔｔａｃｈｅｄ  Ｓｔｏｒａｇｅ）装置１台に対して１台のテープ装置を接続した構成をとり、前記ＮＡＳ装置のデータを対応するテープ装置に保存して当該ＮＡＳ装置のバックアップをとるバックアップシステムであって、
複数台のＮＡＳ装置を１台に見せる仮想化ＮＡＳ装置を構築し、
前記複数台のＮＡＳ装置各々は、前記ＮＡＳ装置のバックアップ時の情報の整合性を保つために特定時刻でのデータ状況の保存を行う静止点確保手段を備えている。
【００１６】
本発明によるＮＡＳ装置は、ネットワークに直接接続して専用ファイルサーバとして動作し、かつ対応するテープ装置に接続するとともに、自装置のデータを当該テープ装置に保存することで自装置のバックアップが可能なＮＡＳ（Ｎｅｔｗｏｒｋ  Ａｔｔａｃｈｅｄ  Ｓｔｏｒａｇｅ）装置であって、
自装置及び他のＮＡＳ装置とともに複数台を１台に見せる仮想化ＮＡＳ装置を構築し、
自装置及び前記他のＮＡＳ装置のバックアップ時の情報の整合性を保つために特定時刻でのデータ状況の保存を行う静止点確保手段を備えている。
【００１７】
本発明によるバックアップ方法は、ネットワークに直接接続して専用ファイルサーバとして動作するＮＡＳ（Ｎｅｔｗｏｒｋ  Ａｔｔａｃｈｅｄ  Ｓｔｏｒａｇｅ）装置１台に対して１台のテープ装置を接続した構成をとり、前記ＮＡＳ装置のデータを対応するテープ装置に保存して当該ＮＡＳ装置のバックアップをとるシステムに用いるバックアップ方法であって、
複数台のＮＡＳ装置を１台に見せる仮想化ＮＡＳ装置を構築し、
前記複数台のＮＡＳ装置各々が、前記ＮＡＳ装置のバックアップ時の情報の整合性を保つために特定時刻でのデータ状況の保存を行う静止点確保処理を実行している。
【００１８】
すなわち、本発明のバックアップシステムは、ネットワークに直接接続して専用ファイルサーバとして動作する複数台のＮＡＳ装置を１台に見せる仮想化ＮＡＳ装置を用いて、ＮＡＳ装置、テープ装置を並列使用しており、従来より高速なバックアップを可能としている。
【００１９】
より具体的に説明すると、本発明のバックアップシステムでは、ＮＡＳ装置を１台に見せるように仮想化したＮＡＳを利用することで、複数のＮＡＳ装置、テープ装置の処理を並列に実行し、データ量あたりのバックアップ時間を短縮することを可能としている。
【００２０】
これによって、本発明のバックアップシステムでは、ＮＡＳクライアントＰＣに対してＮＡＳ装置として１つに見せているが、実際のＮＡＳ装置とテープ装置とが複数台ずつで構成されているため、データバックアップを並列に処理することが可能となるので、バックアップ処理時間を短縮することが可能となる。
【発明の効果】
【００２１】
本発明は、以下に述べるような構成及び動作とすることで、バックアップ処理時間を短縮することができるという効果が得られる。
【発明を実施するための最良の形態】
【００２２】
次に、本発明の実施例について図面を参照して説明する。図１は本発明の一実施例によるバックアップシステムの構成を示すブロック図である。図１において、本発明の一実施例によるバックアップシステムは、プログラム制御によって動作するＮＡＳ（Ｎｅｔｗｏｒｋ  Ａｔｔａｃｈｅｄ  Ｓｔｏｒａｇｅ）装置１，３と、テープ装置２，４と、ＮＡＳクライアントＰＣ（Ｐｅｒｓｏｎａｌ  Ｃｏｍｐｕｔｅｒ）５とから構成され、ＮＡＳ装置１とテープ装置２と間及びＮＡＳ装置３とテープ装置４との間はそれぞれＦＣ（Ｆｉｂｒｅ  Ｃｈａｎｎｅｌ）ケーブルで接続され、ＮＡＳ装置１，３及びＮＡＳクライアントＰＣ５はＬＡＮ（Ｌｏｃａｌ  Ａｒｅａ  Ｎｅｔｗｏｒｋ）１００に接続されている。
【００２３】
ＮＡＳ装置１はＬＡＮ接続装置、ＦＣ接続装置、データ処理装置、データ記憶装置から構成され、ＬＡＮ通信手段１１と、ＦＣ通信手段１２と、静止点確保手段１３と、データ格納手段１４と、ＮＡＳ仮想化手段１５と、バックアップ指示手段１６と、ＮＡＳ仮想化情報保存手段１７とを備えている。ＮＡＳ装置３はＬＡＮ接続装置、ＦＣ接続装置、データ処理装置、データ記憶装置から構成され、ＬＡＮ通信手段３１と、ＦＣ通信手段３２と、静止点確保手段３３と、データ格納手段３４とを備えている。
【００２４】
ＬＡＮ通信手段１１，３１はＬＡＮ１００をサポートし、他のＮＡＳ装置またはユーザデータを入力するクライアントとの通信を行う。ＦＣ通信手段１２，３２はテープ装置２，４との通信及びデータ転送を行う。静止点確保手段１３，３３はバックアップ時の情報の整合性を保つために特定時刻でのデータ状況の保存を行う。データ格納手段１４，３４は、通常、ＮＡＳの保有する機能としてクライアントにデータ格納のためのファイルシステムを提供する。
【００２５】
ＮＡＳ仮想化手段１５は他のＮＡＳ装置とともにＬＡＮ１００に接続することで、ＮＡＳ機能の連携を行い、ユーザに１つのＮＡＳとして見せる。バックアップ指示手段１６はＮＡＳ装置１，３及び接続されたテープ装置２，４に対して、ある時点でのＮＡＳ装置１，３に格納されたデータをテープ装置２，４に格納する処理を開始する指示を行う。バックアップ指示手段１６はこの開始指示の中で静止点確保の指示も行う。ＮＡＳ仮想化情報保存手段１７はＮＡＳ仮想化手段１５によって仮想化されたＮＡＳのある時点での設定情報、状況をテープ装置２に保存する。
【００２６】
テープ装置２，４はデータ処理装置、テープドライブ制御装置、テープメディアから構成され、ＦＣ通信手段２１，４１と、データ格納手段２２，４２とを備えている。ＦＣ通信手段２１，４１はＮＡＳ装置１，３との通信及びデータ転送を行う。データ格納手段２２，４２はテープにデータ格納を行う。
【００２７】
ＮＡＳクライアントＰＣ５はＬＡＮ接続装置、データ処理装置から構成され、ＬＡＮ１００はＬＡＮケーブル、ＨＵＢから構成されている。尚、ＮＡＳクライアントＰＣ５は、図示していないが、ＬＡＮ１００をサポートし、ＮＡＳ装置１，３へのデータ転送を行うＬＡＮ通信手段を備えている。
【００２８】
図２は図１のＮＡＳ装置１，３の動作を示すフローチャートである。これら図１及び図２を参照して本発明の一実施例によるバックアップシステムの動作について説明する。
【００２９】
まず、ＮＡＳ仮想化手段１５を持つＮＡＳ装置１がＬＡＮ通信手段１１によってＬＡＮ通信手段３１を持つＮＡＳ装置３との間で、ＬＡＮ１００を通して通信を行い、ＬＡＮ１００で接続されたＮＡＳクライアントＰＣ５に１台のＮＡＳ装置としてデータ格納手段１４，３４のサービスを提供し、ＮＡＳクライアントＰＣ５からＬＡＮ通信手段を通してＮＡＳ装置１，３でデータを受取る（図２ステップＳ１）。
【００３０】
次に、ＮＡＳ装置１がバックアップ指示手段１６によってバックアップ開始の指示をＮＡＳ装置１，３に出力する（図２ステップＳ２）。ＮＡＳ装置１ではＮＡＳ仮想化情報保存手段１７によって仮想化情報を保存する（図２ステップＳ３）。この手順は仮想化情報が通常静的ではないため、リストア時に仮想化情報のリストアが必要になるために必要となる。
【００３１】
さらに、ＮＡＳ装置１，３の静止点確保手段１３，３３各々によってそれぞれが並列処理でバックアップするための静止点を確保する（図２ステップＳ４）。これは依存関係のある可能性のあるデータを分割バックアップするので、同時点で静止点を確保し、依存関係を保障するためである。
【００３２】
最後に、ＮＡＳ装置１ではＦＣ通信手段１２を使ってＦＣ通信手段２１を持つテープ装置２のデータ格納手段２２を使用したバックアップを行い、ＮＡＳ装置３ではＦＣ通信手段３２を使ってＦＣ通信手段４１を持つテープ装置４のデータ格納手段４２を使用したバックアップを行うので、バックアップが並列に実施されることとなる（図２ステップＳ５）。
【００３３】
このように、本実施例では、ＮＡＳクライアントＰＣ５に対してＮＡＳ装置としては１つに見せているが、実際のＮＡＳ装置とテープ装置とが２台ずつで構成されているため、データバックアップを並列に処理することができるので、バックアップ処理時間を短縮することができる。
【００３４】
図３は本発明の他の実施例によるバックアップシステムの構成を示すブロック図である。図３において、本発明の他の実施例によるバックアップシステムは、上記のＮＡＳ装置３と同様の構成のＮＡＳ装置６と、テープ装置４と同様の構成のテープ装置７とを設けた以外は図１に示す本発明の一実施例によるバックアップシステムと同様の構成となっており、同一構成要素には同一符号を付してある。
【００３５】
すなわち、ＮＡＳ装置６はＬＡＮ接続装置、ＦＣ接続装置、データ処理装置、データ記憶装置から構成され、ＬＡＮ通信手段６１と、ＦＣ通信手段６２と、静止点確保手段６３と、データ格納手段６４とを備えている。また、テープ装置７はデータ処理装置、テープドライブ制御装置、テープメディアから構成され、ＦＣ通信手段７１と、データ格納手段７２とを備えている。
【００３６】
図４は図３のＮＡＳ装置１，３，６の動作を示すフローチャートである。これら図１及び図２を参照して本発明の他の実施例によるバックアップシステムの動作について説明する。
【００３７】
まず、ＮＡＳ仮想化手段１５を持つＮＡＳ装置１がＬＡＮ通信手段１１によってＬＡＮ通信手段３１を持つＮＡＳ装置３及びＬＡＮ通信手段６１を持つＮＡＳ装置６とＬＡＮ１００を通して通信を行い、ＬＡＮ１００で接続されたＮＡＳクライアントＰＣ５に１台のＮＡＳ装置としてデータ格納手段１４，３４，６４のサービスを提供し、ＮＡＳクライアントＰＣ５からＬＡＮ通信手段を通してＮＡＳ装置１，３，６でデータを受取る（図４ステップＳ１１）。
【００３８】
次に、ＮＡＳ装置１がバックアップ指示手段１６によってバックアップ開始の指示をＮＡＳ装置１，３，６に出力する（図４ステップＳ１２）。ＮＡＳ装置１ではＮＡＳ仮想化情報保存手段１７によって仮想化情報を保存する（図４ステップＳ１３）。この手順は仮想化情報が通常静的ではないため、リストア時に仮想化情報のリストアが必要になるために必要となる。
【００３９】
さらに、ＮＡＳ装置１，３，６の静止点確保手段１３，３３，６３各々によって、それぞれが並列処理でバックアップするための静止点を確保する（図４ステップＳ１４）。これは依存関係のある可能性のあるデータを分割バックアップするので、同時点で静止点を確保し、依存関係を保障するためである。
【００４０】
最後に、ＮＡＳ装置１ではＦＣ通信手段１２を使ってＦＣ通信手段２１を持つテープ装置２のデータ格納手段２２を使用してバックアップを行い、ＮＡＳ装置３ではＦＣ通信手段３２を使ってＦＣ通信手段４１を持つテープ装置４のデータ格納手段４２を使用してバックアップを行い、ＮＡＳ装置６ではＦＣ通信手段６２を使ってＦＣ通信手段７１を持つテープ装置７のデータ格納手段７２を使用してバックアップを行うことで、バックアップを３並列処理で実施する（図４ステップＳ１５）。
【００４１】
このように、本実施例では、ＮＡＳクライアントＰＣ５に対してＮＡＳ装置としては１つに見せているが、実際のＮＡＳ装置とテープ装置とが３台ずつで構成されているため、データバックアップを３並列処理することができる。
【産業上の利用可能性】
【００４２】
本発明は、シミュレーション等で大量のデータを扱うシステムでのデータ保存・データバックアップといった用途や２４時間連続運用を行うシステムでの僅かな負荷の少ない時間帯での高速バックアップといった用途に適用可能である。
【図面の簡単な説明】
【００４３】
【図１】本発明の一実施例によるバックアップシステムの構成を示すブロック図である。
【図２】図１のＮＡＳ装置の動作を示すフローチャートである。
【図３】本発明の他の実施例によるバックアップシステムの構成を示すブロック図である。
【図４】図３のＮＡＳ装置の動作を示すフローチャートである。
【図５】従来のバックアップシステムの構成を示すブロック図である。
【符号の説明】
【００４４】
１，３，６  ＮＡＳ装置
２，４，７  テープ装置
５  ＮＡＳクライアントＰＣ
１１，３１，６１  ＬＡＮ通信手段
１２，２１，３２，
４１，６２，７１  ＦＣ通信手段
１３，３３，６３  静止点確保手段
１４，２２，３４，
４２，６４，７２  データ格納手段
１５  ＮＡＳ仮想化手段
１６  バックアップ指示手段
１７  ＮＡＳ仮想化情報保存手段
１００  ＬＡＮ
【図１】
2007018112.tif 000003
【図２】
2007018112.tif 000004
【図３】
2007018112.tif 000005
【図４】
2007018112.tif 000006
【図５】
2007018112.tif 000007